(57)【要約】      （修正有）【課題】パイナップルの芯を収容する有底円筒部内に果汁等が残り難いパイナップル絞り器を提供する。【解決手段】上下方向に延びる複数の外側突条部２を有するドーム状の掻出部３と、掻出部３により掻き出した果汁を受ける受け部４と、パイナップルの芯を収容する有底円筒部６とを備え、有底円筒部６の開口縁に切削部が形成されているパイナップル絞り器１であって、有底円筒部６の側面と受け部４とを連通する連通部１２を設けてある。【選択図】図１
0003201601.tif 000002
【実用新案登録請求の範囲】
【請求項１】
上下方向に延びる複数の外側突条部を有するドーム状の掻出部と、前記掻出部により掻き出した果汁を受ける受け部と、パイナップルの芯を収容する有底円筒部とを備え、前記有底円筒部の開口縁に切削部が形成されているパイナップル絞り器であって、
前記有底円筒部の側面と前記受け部とを連通する連通部を設けてあることを特徴とするパイナップル絞り器。
【請求項２】
前記連通部を複数設けてあることを特徴とする請求項１に記載のパイナップル絞り器。
【請求項３】
２つの前記連通部が、平面視で相対峙する位置に設けられていることを特徴とする請求項２に記載のパイナップル絞り器。
【請求項４】
前記有底円筒部の内壁に、上下方向に延びる複数の内側突条部が設けられていることを特徴とする請求項１〜３のいずれか１項に記載のパイナップル絞り器。
【請求項５】
前記外側突条部が、前記掻出部の周方向に交互に配置されている大突条部及び小突条部によって構成されていることを特徴とする請求項１〜４のいずれか１項に記載のパイナップル絞り器。
【請求項６】
前記有底円筒部の内壁に、上下方向に延びる複数の内側突条部が設けられており、且つ前記外側突条部が、前記掻出部の周方向に交互に配置されている大突条部及び小突条部によって構成されており、前記切削部が、前記内側突条部、前記大突条部、及び前記小突条部のそれぞれの上端部分が一体となって形成されていることを特徴とする請求項１〜３のいずれか１項に記載のパイナップル絞り器。
【考案の詳細な説明】
【技術分野】
【０００１】
本考案は、上下方向に延びる複数の外側突条部を有するドーム状の掻出部と、前記掻出部により掻き出した果汁を受ける受け部と、パイナップルの芯を収容する有底円筒部とを備え、前記有底円筒部の開口縁に切削部が形成されているパイナップル絞り器に関する。
【背景技術】
【０００２】
従来のパイナップル絞り器としては、例えば以下の特許文献１に示すものが知られている。当該特許文献のパイナップル絞り器における有底円筒部は、その上面にのみ開口を有する。
【先行技術文献】
【特許文献】
【０００３】
【特許文献１】特許第４７６３８５６号公報（図１参照）
【考案の概要】
【考案が解決しようとする課題】
【０００４】
従来のパイナップル絞り器では、有底円筒部の上面にのみ開口が設けられているため、絞り取られたパイナップルの果汁等が有底円筒部に残り易い。従って、有底円筒部内に残った果汁等を取り出すために、パイナップルの芯を有底円筒部から引き抜いた後、パイナップル絞り器を相当程度まで傾けるなどの操作を行う必要がある。
【０００５】
本考案の目的は、パイナップルの芯を収容する有底円筒部内に果汁等が残り難いパイナップル絞り器を提供することにある。
【課題を解決するための手段】
【０００６】
本考案のパイナップル絞り器に係る第１特徴構成は、上下方向に延びる複数の外側突条部を有するドーム状の掻出部と、前記掻出部により掻き出した果汁を受ける受け部と、パイナップルの芯を収容する有底円筒部とを備え、前記有底円筒部の開口縁に切削部が形成されているパイナップル絞り器であって、前記有底円筒部の側面と前記受け部とを連通する連通部を設けてある点にある。
【０００７】
〔作用及び効果〕
本構成のごとく、有底円筒部の側面と受け部とを連通する連通部を設けることにより、たとえ果汁が有底円筒部内に移流したとしても、連通部を介して受け部に移流するため、有底円筒部内に残り難い。
【０００８】
第２特徴構成は、前記連通部を複数設けてある点にある。
【０００９】
〔作用及び効果〕
本構成のごとく、連通部を複数設けることによって、果汁がより一層受け部に移流し易くなる。
【００１０】
第３特徴構成は、２つの前記連通部が、平面視で相対峙する位置に設けられている点にある。
【００１１】
〔作用及び効果〕
本構成のごとく、２つの連通部が、平面視で相対峙する位置に設けられていることによって、有底円筒部の左右両側から受け部に対して果汁が均等に移流し易くなる。
【００１２】
第４特徴構成は、前記有底円筒部の内壁に、上下方向に延びる複数の内側突条部が設けられている点にある。
【００１３】
〔作用及び効果〕
本構成によれば、内側突条部によってパイナップルの芯の外表面部分からも果汁が掻き出されるため、より多くの果汁を得ることができる。
【００１４】
第５特徴構成は、前記外側突条部が、前記掻出部の周方向に交互に配置されている大突条部及び小突条部によって構成されている点にある。
【００１５】
〔作用及び効果〕
本構成によれば、大突状部のみの構成とした場合に比し、掻出部にパイナップルを押し当てた際に、大突状部と小突状部に力が分散される結果、組織の硬い果肉の搾り始め部位へ大突状部のみが深く噛み込むことによる回転抵抗上昇を防止でき、かつ、大突状部に加え小突状部による果肉の破砕も同時に行われるため、より小さい力でパイナップルを回転することができ、かつ、果肉も効率よく破砕することができる。
【００１６】
第６特徴構成は、前記有底円筒部の内壁に、上下方向に延びる複数の内側突条部が設けられており、且つ前記外側突条部が、前記掻出部の周方向に交互に配置されている大突条部及び小突条部によって構成されており、前記切削部が、前記内側突条部、前記大突条部、及び前記小突条部のそれぞれの上端部分が一体となって形成されている点にある。
【００１７】
〔作用及び効果〕
本構成によれば、切削部が、内側突条部、大突条部、及び小突条部のそれぞれの上端部分が一体となって形成されているため、筒状の切削部を別途設けるような場合と比べて、構成を簡素化することができる。
【図面の簡単な説明】
【００１８】
【図１】本考案のパイナップル絞り器の上方からの外観斜視図である。
【図２】本考案のパイナップル絞り器の平面図である。
【図３】本考案のパイナップル絞り器の側面図である。
【図４】図２の矢視線ＩＶ−ＩＶにおけるパイナップル絞り器の縦断面図である。
【図５】図３の矢視線Ｖ−Ｖにおけるパイナップル絞り器の横断面図である。
【考案を実施するための形態】
【００１９】
以下、本考案のパイナップル絞り器の実施の形態を、図面に基づいて説明する。
〔実施形態〕
図１に示すように、本実施形態におけるパイナップル絞り器１は、上下方向に延びる複数の外側突条部２を有するドーム状の掻出部３と、掻出部３により掻き出した果汁等を受ける受け部４と、パイナップルの芯を収容する有底円筒部６とを備える。
【００２０】
図２に示すように、掻出部３における外側突条部２は、下側ほど幅広となる大突条部２ａと、下側ほど幅狭となる小突条部２ｂによって構成されている。複数の大突条部２ａと複数の小突条部２ｂが、掻出部３の周方向全体に交互に配置されており、平面視にて放射状となる。尚、本実施形態における小突条部２ｂは、掻出部３の上部分にのみ形成されており、掻出部３の下部分は大突条部２ａのみで構成される（図１参照）。
【００２１】
本構成によれば、大突状部３のみの構成とした場合に比し、掻出部３の上部分にパイナップルを押し当てた際に、大突状部２ａと小突状部２ｂに力が分散される結果、組織の硬い果肉の搾り始め部位へ大突状部２ａのみが深く噛み込むことによる回転抵抗上昇を防止でき、かつ、大突状部２ａに加え小突状部２ｂによる果肉の破砕も同時に行われるため、より小さい力でパイナップルを回転することができ、かつ、果肉も効率よく破砕することができる。他方で、果肉の破砕が進んだ絞り終わり部位に対しては、掻出部３の上部分と異なり、大突状部２ａのみが深く果肉に噛み込むため、大突状部２ａのみの構成とした場合と同様に大量の果汁を搾り出すことができる。また、大突状部２ａと小突状部２ｂが交互に配置されることにより形成される掻出部３の上部分の浅い溝から、大突状部２ａのみにより形成される掻出部３の下部分の深い溝へ、掻き出された果肉と果汁が流れる様相となるため、掻出部３の溝に果肉や果汁が目詰まりすることによる搾汁効率の低下も併せて防止することができる。
【００２２】
受け部４は、平面視で掻出部３と略同心円状に掻出部３の周囲に設けられており、掻出部３の外側突条部２により掻き出された果汁等を受ける。図３に示すように、受け部４の内壁面は、掻出部３の下端に近づくほど深くなるように緩やかに湾曲する。
【００２３】
図１及び図２に示すように、受け部４の外周部には、パイナップルを絞る際にパイナップル絞り器１が回転しないように把持するための取っ手９と、絞り取った果汁等をコップ等の容器に移し替えるための注ぎ口１０とが、平面視で相対峙する位置に設けられている。
【００２４】
図２に示すように、有底円筒部６は、平面視にて掻出部３の略中央部分に設けられている。図４及び図５に示すように、有底円筒部６の内壁全体に亘って、上下方向に延びる複数の内側突条部７が設けられている。また、図４に示すように、有底円筒部６の底部８は、受け部４の底部５と同じ高さ位置（面一）に設定されている。
【００２５】
図３及び図４に示すように、有底円筒部６の開口縁に切削部１１が形成されている。本実施形態における切削部１１は、大突条部２ａ、小突条部２ｂ、及び内側突条部７のそれぞれの上端部分が一体となって形成されている。また切削部１１は、パイナップルを左右いずれの方向に回転させても切削できるように、左右対称の複数の両刃が、山切り状に配置されている。
【００２６】
図１、図２、及び図５に示すように、有底円筒部６の側面と受け部４とを連通する連通部１２が設けられている。本実施形態においては、有底円筒部６の側面を上下方向に全開口する２つの連通部１２が、平面視で相対峙する位置に設けられている。尚、図２に示すように、本実施形態における、注ぎ口１０、２つの連通部１２、及び取っ手９は、平面視において同一直線状に位置するように設けられている。
【００２７】
本発明のパイナップル絞り器１に適用可能な構成素材としては、例えば、トライタン、ポリプロピレン等が挙げられる。また、本発明のパイナップル絞り器１は、従来公知の射出成形法等によって製造することができる。
【００２８】
（使用方法）
図１に示すように、パイナップルＰを横半分に切断し、そのいずれかのパイナップルＰの芯をパイナップル絞り器１の切削刃に当てて位置合わせをする。そして、片方の手でパイナップル絞り器１の取っ手９を押さえながら、もう片方の手でパイナップルＰを押し回す。これにより、パイナップルＰの芯が有底円筒部６の切削部１１によって切り抜かれて有底円筒部６内に侵入して収容されつつ、掻出部３の大突条部２ａと小突条部２ｂによってパイナップルの果汁や果肉が掻き出され、さらに有底円筒部６の内側突条部７によってパイナップルＰの芯の外表面部分からも果汁や果肉が掻き出される。
【００２９】
掻出部３の大突条部２ａ及び小突条部２ｂによって掻き出された果汁と果肉は、大突条部２ａ及び小突条部２ｂを伝って受け部４に溜る。また、有底円筒部６の内側突条部７によって掻き出された果汁と果肉は、連通部１２を介して受け部４に移流するため、有底円筒部６内に残り難い。
【００３０】
パイナップルＰを押し回してもそれ以上パイナップルＰが下がらず、果汁と果肉を絞れなくなったら、押し回すのを止めてパイナップル絞り器１からパイナップルＰを取り外す。そして、必要であればもう半分のパイナップルＰについても同様の操作を繰り返す。
【００３１】
絞り終えた後のパイナップルＰには、皮の部分と芯の一部分が残される。尚、パイナップル絞り器１の受け部４に大量の果汁と果肉が溜められているが、ユーザーは注ぎ口１０を介してコップ等の他の容器に容易に移し替えることができる。
【００３２】
〔その他の実施形態〕
１．上述の外側突条部２は、大突条部２ａ及び小突条部２ｂという形状・大きさの異なる２種類の突条部によって構成されるが、これに限定されるものではなく、同じ形状・大きさの突条部で構成しても良い。また、外側突条部２は、必ずしも掻出部３の周方向全体に設ける必要はなく、その数や設置間隔は必要に応じて適宜変更して良い。
【００３３】
２．上述の内側突条部７は、必ずしも有底円筒部６の内壁全体に亘って設ける必要はなく、その数や設置間隔は必要に応じて適宜変更して良い。
【００３４】
３．上述の連通部１２は、必ずしも２つに限らず、必要に応じて、一つでも良いし、あるいは３つ以上設けるように構成してよい。尚、連通部１２が一つだけの場合は、注ぎ口１０側に開口させておくことが望ましく、連通部１２が複数の場合は、少なくとも一つを注ぎ口１０側に開口させておくことが望ましい。これにより、有底円筒部６内の果汁等が注ぎ口１０に移流し易くなる。
【００３５】
４．上述の連通部１２は、必ずしも有底円筒部６の側面を上下方向に全開口する構成でなくとも良い。有底円筒部６の側面のうち少なくとも下端部分が受け部４と連通しており、有底円筒部６内の果汁等が受け部４に移流し得る構成であれば良い。
【産業上の利用可能性】
【００３６】
本考案に係るパイナップル絞り器は、パイナップルに関連する産業分野、例えばパイナップルジュースや、パイナップル果汁入り飲料の提供等に係る産業分野において好適に用いることができる。
【符号の説明】
【００３７】
１  パイナップル絞り器
２  外側突条部
２ａ  大突条部
２ｂ  小突条部
３  掻出部
４  受け部
５  受け部の底部
６  有底円筒部
７  内側突条部
８  有底円筒部の底部
９  取っ手
１０  注ぎ口
１１  切削部
１２  連通部
Ｐ  パイナップル
【図１】
0003201601.tif 000003
【図２】
0003201601.tif 000004
【図３】
0003201601.tif 000005
【図４】
0003201601.tif 000006
【図５】
0003201601.tif 000007